(57)【要約】【課題】  安全に昇降させて使用者の介助、支援を行うことができるとともに、椅子としても使用することができる家具調ポータブルトイレを提供する。【解決手段】少なくとも左右側壁２２が立設された脚部２と、中央に開口部３１ａが形成された天板３１および天板３１の周縁に垂設された周壁３２を有する座部３３ならびに座部３３に設けられた肘掛け３４、背当て３５および座部３３に敷設可能なシート３７からなり、脚部２の左右側壁２２内面に沿って昇降自在に嵌挿された昇降部３と、脚部２と昇降部３とにわたって配設された昇降機構４と、から構成され、昇降機構４が作動して昇降部３が最下降位置にあるとき、脚部２の左右側壁２２の上端面と、該脚部２の左右側壁２２の上端面に臨んで昇降部３の左右側壁３２２に設けられたカバー材３２３の下端面との間に一定の隙間Ｓ２が形成される。【選択図】  図１
2005118120.tif 000002
【特許請求の範囲】
【請求項１】
少なくとも左右側壁が立設された脚部と、中央に開口部が形成された天板および天板の周縁に垂設された周壁を有する座部ならびに座部に設けられた肘掛け、背当ておよび座部に敷設可能なシートからなり、脚部の左右側壁内面に沿って昇降自在に嵌挿された昇降部と、脚部と昇降部とにわたって配設された昇降機構と、から構成され、前記昇降部の左右側壁の上端縁にカバー材が設けられ、昇降機構が作動して昇降部が最下降位置にあるとき、カバー材の下端面と、脚部の左右側壁の上端面との間に一定の隙間が形成されることを特徴とする家具調ポータブルトイレ。
【請求項２】
前記肘掛けの肘掛け本体が左右対称に形成され、その一方に昇降機構の操作スイッチが設けられていることを特徴とする請求項１記載の家具調ポータブルトイレ。
【請求項３】
前記昇降部の前壁が内方に向かって傾斜され、昇降機構が作動して昇降部が最下降位置にあるとき、前壁の下端面と床面との間に一定の隙間が形成されることを特徴とする請求項１記載の家具調ポータブルトイレ。
【請求項４】
前記昇降部の前壁の下端面に感圧センサが設けられていることを特徴とする請求項３記載の家具調ポータブルトイレ。
【発明の詳細な説明】
【技術分野】
【０００１】
本発明は、椅子としても使用可能な家具調ポータブルトイレに関するものである。
【背景技術】
【０００２】
一般に、トイレ室での用便が困難な場合には、ポータブルトイレが使用される。このようなポータブルトイレは、中央に開口部が形成された天板および天板の周縁に垂設された周壁からなる座部を合成樹脂によって一体に成形したもので、開口部を通して内部に挿入された汚物ポットを天板に支持することができるとともに、持ち運びできるように構成されている。
【０００３】
このようなポータブルトイレにおいても、腰掛け動作や立ち上がり動作時の負担を軽減したり、あるいは、背中を支持する必要性から、肘掛けや背当てが設けられることが好ましい。このため、座部の天板に肘掛けや背当てを設け、用便時以外には、椅子としても使用可能な家具調ポータブルトイレが提供されるようになっている。
【０００４】
このようなポータブルトイレを怪我人、高齢者や身体障害者などの要介護者が使用する際において、手足の筋力が衰えていると、肘掛けを利用した腰掛け動作や立ち上がり動作が困難な場合が想定される。このような事態に対応して、特許文献１に記載されるように、脚部に不平行リンク機構およびアクチュエーターを配設するとともに、座部を不平行リンク機構を介して支持し、アクチュエーターを駆動することにより、座部を脚部に対して不平行リンク機構によって前方に移動・前傾させながら上昇させ、使用者の介助、支援を行うポータブルトイレも提案されている。
【特許文献１】特開２００１−１９０４４８号公報
【発明の開示】
【発明が解決しようとする課題】
【０００５】
しかしながら、特許文献１に記載された家具調ポータブルトイレは、不平行リンク機構を採用していることにより、座部は、上昇する際に前方に移動しながら前傾することから、姿勢が不安定となり、手足の筋力が衰えている使用者は、自らの体重を支えることができない場合、座部から滑落するおそれがある。また、座部を上昇させた際、周囲四面が開放され、開放された四面から昇降機構を含む脚部の内部が露出し、家庭あるいは施設において、介護の場にふさわしくない雰囲気を与えるものとなる。しかも、座部を下降する際、周囲四面と床面との間に開放された空間が形成されるため、各面において、使用者や介護者の足首や踵あるいはペットなどを挟み込む危険性がある。
【０００６】
本発明はこのような問題点に鑑みてなされたものであり、安全に昇降させて使用者の介助、支援を行うことができるとともに、椅子としても使用することのできる家具調ポータブルトイレを提供するものである。
【課題を解決するための手段】
【０００７】
本発明は、少なくとも左右側壁が立設された脚部と、中央に開口部が形成された天板および天板の周縁に垂設された周壁を有する座部ならびに座部に設けられた肘掛け、背当ておよび座部に敷設可能なシートからなり、脚部の左右側壁内面に沿って昇降自在に嵌挿された昇降部と、脚部と昇降部とにわたって配設された昇降機構と、から構成され、前記昇降部の左右側壁の上端縁にカバー材が設けられ、昇降機構が作動して昇降部が最下降位置にあるとき、カバー材の下端面と、脚部の左右側壁の上端面との間に一定の隙間が形成されることを特徴とするものである。
【０００８】
本発明によれば、昇降機構が作動すれば、脚部に対して昇降部が脚部の左右の側壁の内面に沿って昇降する。したがって、自らの体重を支えることができないような筋力が衰えた要介護者などが使用する場合であっても、腰掛け動作や立ち上がり動作を介助、支援することができる。
【０００９】
ここで、脚部の左右側壁の上端面に臨んで昇降部の左右側壁の上端縁にカバー材が設けられることにより、脚部の左右側壁の内面と昇降部の左右側壁の外面との間に使用者の衣服などが引き込まれることを防止することができる。また、昇降部が最下降位置にあるとき、脚部の左右側壁の上端面と、昇降部の左右側壁の上端縁に設けられたカバー材の下端面との間に一定の隙間が形成されることにより、昇降部の下降時に誤って使用者の指などが挟み込まれることを確実に防止することができる。
【００１０】
なお、シートを伸展して座部の天板に敷設すれば、天板の開口部を覆うことができ、使用者は、腰掛けて椅子として使用することもできる。この場合、肘掛けおよび背当てが肘および背を支持することができる。
【００１１】
本発明において、前記肘掛けの肘掛け本体が左右対称に形成され、その一方に昇降機構の操作スイッチが設けられていると、使用者の右利き、左利きに合わせて、操作スイッチが設けられた肘掛け本体を左右交換して取り付けることができる。
【００１２】
本発明において、前記昇降部の前壁が内方に向かって傾斜され、昇降機構が作動して昇降部が最下降位置にあるとき、前壁の下端面と床面との間に一定の隙間が形成されると、使用者は、前壁に沿って下腿を内方に折り曲げることができ、使用者は、無理なく起居動作を行うことができる。また、前壁の下端面と床面との間に隙間が形成されるため、使用者の病状、例えば、リューマチなどに対応して、使用者の足首や踵などを収容することができる。
【００１３】
本発明において、前記昇降部の前壁の下端面に感圧センサが設けられていると、昇降部の下降時において、前壁の下端面と床面との間に足首や踵などが収容されている場合に、足首や踵などに接触することで感圧センサを作動させることができる。このため、感圧センサを利用して昇降機構の作動を停止させることが可能となり、足首などを挟み込むことを確実に防止することができる。
【発明の効果】
【００１４】
以上のように本発明によれば、安全に昇降させて使用者の介助、支援を行うことができるとともに、椅子としても使用することができる。
【発明を実施するための最良の形態】
【００１５】
以下、本発明の実施の形態について図面を参照しつつ説明する。
【００１６】
図１には、本発明の家具調ポータブルトイレ１の一実施形態が示されている。
【００１７】
このポータブルトイレ１は、脚部２と、脚部２の内方に昇降自在に嵌挿された昇降部３と、脚部２および昇降部３間に配設された昇降機構４と、から構成され、脚部２および昇降部３は、主に木材によって製造されている。
【００１８】
脚部２は、前後方向に延設された左右一対の支持脚２１と、左右の支持脚２１にそれぞれ立設された左右の側壁２２と、左右の側壁２２の後端縁間に配設された後壁２３と、からなり、左右の支持脚２１は、連結材２４によって連結されている。
【００１９】
昇降部３は、中央に開口部３１ａ（図１参照）が形成された天板３１および天板３１の周縁に垂設された周壁３２を有する座部３３と、座部３３の左右側方にそれぞれ設けられた肘掛け３４と、座部３３の後方に設けられた背当て３５と、から形成され、座部３３が脚部２１の左右の側壁２２および後壁２３によって区画された内方空間に摺動自在に嵌挿されている。そして、天板３１の内面には、開口部３１ａの周縁に位置して支持板３１１が設けられており、支持板３１１に、便座３６１を回動自在に軸支した便座受け３６が配置されている。また、天板３１には、その後方に位置して二つ折り可能なシート３７の後端が回動自在に連結されている。さらに、天板３１の開口部３１ａを通して座部３３の内方に挿入される汚物ポット３８は、その上端周縁部が便座受け３６に支持されており、便座３６１を倒すと、汚物ポット３８の上端周縁を覆うことができる。さらに、シート３７を引き出すことにより、シート３７を天板３１上に敷設して便座３６および汚物ポット３８を覆うことができるとともに、腰を下ろすことができる。
【００２０】
ここで、周壁３２のうち、前壁３２１は、内方に向けて傾斜されており、使用者は、前壁３２１に沿って下腿を内方に折り曲げることができる。このため、使用者が腰掛ける場合、あるいは、立ち上がる場合、無理なく起居動作を行うことができる。また、後述する昇降機構４によって昇降部３が最下降位置に下降した際、前壁３２１の下端面と床面との間には、一定の隙間Ｓ１が形成されるように設定されている。したがって、昇降部３が昇降機構４によって上昇した際、前壁３２１の下端面と床面との間に形成される隙間Ｓ１に使用者の足首や踵などを収容することができる。例えば、使用者の脚がリューマチなどによって屈曲し、正常に座れない場合でも、対応することが可能となる。
【００２１】
ただし、昇降部３が下降した場合に、前壁３２１の下端面と床面との間で足首や踵などを挟み込むことを防止するため、前壁３２１の下端面には、圧力を感知して作動する感圧センサ（図示せず）が設けられており、足首や踵などに接触して感圧センサが作動した場合に、昇降機構４の作動を停止するように設定されている。
【００２２】
また、脚部２の左右の側壁２２の内面と、昇降部３の左右の側壁３２２の外面との間に使用者の衣服などが引き込まれることを防止するため、昇降部３の左右の側壁３２２の外面側上端縁および外面側前端縁にかけて、略Ｌ字状のカバー材３２３が設けられている。
【００２３】
この場合、昇降機構４によって昇降部３が最下降位置に下降した際、カバー材３２３の水平部の下端面と、脚部２の左右の側壁２２の上端面との間には、一定の隙間Ｓ２が形成されるように設定されている。このため、カバー材３２３と、脚部２の左右の側壁２２との間で使用者の指などが挟まれることを防止している。
【００２４】
なお、カバー材３２３の垂直部の後端面は、脚部２の左右の側壁２２１の前端面にほぼ接するように設けられている。
【００２５】
一方、肘掛け３４は、支柱３４１および該支柱３４１の上端に前端部が固定された肘掛け本体３４２から形成され、また、背当て３５は、左右の框３５１および該左右の框３５１の上端部間に掛け渡された笠木３５２から形成されている。そして、背当て３５の框３５１および肘掛け３４の支柱３４１がそれぞれカバー材３２３に固定されるとともに、肘掛け本体３４２の後端が背当て３５の框３５１に固定されている。
【００２６】
なお、肘掛け３４の左右一方の肘掛け本体３４２には、その前端部に位置して昇降機構４の操作スイッチ（図示せず）が設けられている。すなわち、操作スイッチは、通常、右側の肘掛け本体３４２の前端部に設けられているが、肘掛け本体３４２が左右対称に形成されているため、左右の肘掛け本体３４２を交換して取り付けることにより、左利きの使
用者にも簡単に対応することができる。
【００２７】
昇降機構４は、図３に詳細に示すように、脚部２の左右の側壁２２の内面および連結材２４にわたって固定された支持フレーム４１と、支持フレーム４１に、開口が内方を向いた状態で左右対称に、かつ、水平に固定された断面コ字状の左右一対の下ガイドレール４２と、座部３３の天板３１の内面側左右端縁部に、開口が内方を向いた状態で左右対称に、かつ、水平に固定された断面コ字状の左右一対の上ガイドレール４３と、左右の下ガイドレール４２と左右の上ガイドレール４３間にそれぞれ配設された左右一対のＸリンク４４と、支持フレーム４１の後方下部とＸリンク４４間に配設された電動アクチュエーター４５と、から構成されている。
【００２８】
ここで、各Ｘリンク４４は、第１リンク４４１および第２リンク４４２を略中間部において回動自在に連結して構成され、第１リンク４４１の後端が支持フレーム４１に回動自在に連結され、その前端に回転自在に軸支されたローラー４６が上ガイドレール４３に配置されている。そして、左右の第１リンク４４１の後端近傍間には、連結材４４３が固定されており、左右の第１リンク４４１は同期して移動する。一方、Ｘリンク４４の第２リンク４４２の後端が、左右の上ガイドレール４３の後端間に架設された補強材４３１に回動自在に連結され、その前端近傍に回転自在に軸支されてローラー４６が下ガイドレール４２に配置されている。そして、左右の第２リンク４４２の前端間および後端間には、それぞれ連結材４４３が固定されており、左右の第２リンク４４２は同期して移動する。
【００２９】
この場合、第１リンク４４１の後端側軸支部とローラー４６の軸支部および第２リンク４４２の後端側軸支部とローラー４６の軸支部は、ほぼ長方形の頂点に位置するように設定されている。
【００３０】
なお、支持フレーム４１の後端部には、左右の上ガイドレール４３を連結する補強材４３１が当接可能なストッパ４１１が設けられており、補強材４３１がストッパ４１１に当接するとき、それ以上の下降が阻止される。このとき、前述したように、カバー材３２３の水平部の下端面と、脚部２の左右の側壁２２の上端面との間に一定の隙間Ｓ２が形成される。
【００３１】
また、電動アクチュエーター４５は、電動モーター４５１が一体に設けられた本体部４５２と、本体部４５２に摺動自在に嵌挿された伸縮部４５３と、からなり、詳細には図示しないが、電動モーター４５１の回転によってスクリューが回転し、伸縮部４５３を進退させるものである。そして、電動アクチュエーター４５は、その本体部４５２が下ガイドレール４２の下方に位置して支持フレーム４１の右側よりに回動自在に連結され、また、その伸縮部４５３が第２リンク４４２の前端間に架設された連結材４４３に回動自在に連結されている。このため、第２リンク４４２の前端が下ガイドレール４１を越えて下方に延長され、その前端間に連結材４４３が連結されていることと相まって、昇降機構４の駆動に伴う可動部が汚物ポット３８と干渉することが防止されている。
【００３２】
次に、このように構成された家具調ポータブルトイレ１の作動について説明する。
【００３３】
使用者が座部３３に腰掛けた状態で図示しない操作スイッチを操作すれば、電動アクチュエーター４５の電動モーター４５１が正転駆動あるいは逆転駆動することにより、昇降部３を昇降させることができる。
【００３４】
例えば、操作スイッチを操作して電動モーター４５１を正転駆動すれば、伸縮部４５３が縮小し、連結材４４３を後方に牽引する。この際、連結材４４３によって連結された左右の第２リンク４４２は、その前端近傍に設けられたローラー４６が下ガイドレール４２
に沿って後方に向けて転動するため、その前端と後端側軸支部との間隔を縮小するように、同期して後端側軸支部回りに回動する。
【００３５】
同時に、左右の第２リンク４４２とそれぞれ連結された各第１リンク４４１も、その前端に設けられたローラー４６が上ガイドレール４２に沿って後方に向けて転動し、その前端と後端側軸支部との間隔を縮小するように、それらの後端近傍間に架設された連結材４４３により同期して後端側軸支部回りに回動する。このため、Ｘリンク４４は、上ガイドレール４３を持ち上げる。この場合、上ガイドレール４３は昇降部３を構成する座部３３の天板３１に固定されていることから、結局、上ガイドレール４３を介して天板３１、すなわち、昇降部３を上昇させることができる（図３および図５参照）。
【００３６】
この際、前壁３２１の下端面と床面との間には、一定の隙間Ｓ１が形成されることから、隙間Ｓ１を利用して使用者の足首や踵などを収容することができる。
【００３７】
一方、操作スイッチを操作して電動モーター４５１を逆転駆動すれば、前述とは逆に伸縮部４５３が伸長し、連結材４４３によって連結された第２リンク４４２および第２リンク４４２に連結されるとともに、連結材４４３によって連結された第１リンク４４１は、ローラー４６が下ガイドレール４２および上ガイドレール４３に沿って前方に向けて転動するため、その前端と後端側軸支部との間隔を伸長するように、後端側軸支部回りに回動する。このため、Ｘリンク４４は、上ガイドレール４３を引き下げることから、下降する上ガイドレール４３が固定された昇降部３を下降させることができる（図２および図４参照）。
【００３８】
この際、昇降部３の左右の側壁３２２の外面にカバー材３２３が設けられていることにより、脚部２の左右の側壁２２の内面と、昇降部３の左右の側壁３２２の外面との間に使用者の衣服が引き込まれることを防止できる。また、前壁３２１の下端面と床面との隙間Ｓ１に足首や踵などが収容されている場合、前壁３２１の下端面に設けられた感圧センサが足首などに接触して作動し、昇降機構４の作動を停止する。このため、誤って使用者の足首などを挟み込むことがない。
【００３９】
また、第１リンク４４１の後端側軸支部とローラー４６の軸支部および第２リンク４４２の後端側軸支部とローラー４６の軸支部は、ほぼ長方形の頂点に位置していることから、昇降部３は、座部３３の天板３１と床面とが平行関係を維持するように、上昇および下降する。したがって、自らの体重を支えることができないような筋力が衰えた要介護者などが使用する場合であっても、座部３３から滑落することを防止して腰掛け動作や立ち上がり動作を介助、支援することができるとともに、座部３３に設けた便座３６に支持されている汚物ポット３８が傾動することもない。
【００４０】
さらに、昇降部３が最下降位置に到達すると、すなわち、左右の上ガイドレール４３を連結する補強材４３１が支持フレーム４１の後端部に設けられたストッパ４１１に当接すると、それ以上の下降が阻止される。このとき、カバー材３２３の水平部の下端面と、脚部２の左右の側壁２２の上端面との間に一定の隙間Ｓ２が形成されることから、カバー材３２３の水平部の下端面と、脚部２の左右の側壁２２の上端面との間で指などを挟み込むことが防止される。
【００４１】
一方、シート３７を伸展して座部３３の天板３１に敷設すれば、天板３１の開口部３１ａ、便座３６および汚物ポット３８を覆うことができ、使用者は、腰掛けて椅子として使用することもできる。
【００４２】
この際、周壁３２の前壁３２１が内方に向けて傾斜されていることから、使用者は、前
壁３２１に沿って下腿を内方に折り曲げることができ、使用者は、無理なく起居動作を行うことができる。
【産業上の利用可能性】
【００４３】
以上のように本発明によれば、椅子としても使用することができるとともに、安全に昇降させて使用者の介助、支援を行うことができるポータブルトイレを提供することができる。
【図面の簡単な説明】
【００４４】
【図１】本発明の家具調ポータブルトイレの一実施形態を一部破断して示す正面図である。
【図２】図１の家具調ポータブルトイレを一部破断して示す側面図である。
【図３】図１の家具調ポータブルトイレの昇降機構を示す斜視図である。
【図４】図１の家具調ポータブルトイレを示す斜視図である。
【図５】図１の家具調ポータブルトイレの昇降部を上昇させた状態を示す斜視図である。
【符号の説明】
【００４５】
１  家具調ポータブルトイレ
２  脚部
２１  支持脚
２２  側壁
３  昇降部
３１  天板
３２  周壁
３３  座部
３４  肘掛け
３５  背当て
３６  便座
３７  シート
３８  汚物ポット
４  昇降機構
４１  支持フレーム
４２  下ガイドレール
４３  上ガイドレール
４４  Ｘリンク
４５  電動アクチュエーター
４６  ローラー
【図１】
2005118120.tif 000003
【図２】
2005118120.tif 000004
【図３】
2005118120.tif 000005
【図４】
2005118120.tif 000006
【図５】
2005118120.tif 000007